(57)【要約】【課題】  記録装置において、１枚の被記録材に同じ画像を複数並べて記録する際の記録実行時間を短縮する。【解決手段】  オブジェクト情報生成手順でオブジェクト情報を生成する（ステップＳ６１）。オブジェクト複製情報を初期化した後（ステップＳ６２）、生成したオブジェクトを検索し（ステップＳ６３）、複製可能なオブジェクトがあるか否かを判定する（ステップＳ６４）。複製可能なオブジェクトがある場合には（ステップＳ６４でＹｅｓ）、オブジェクトをオブジェクト発生順に並び替える（ステップＳ６５）。複製可能なオブジェクトのオブジェクト複製情報に複製元となるオブジェクトとの関連付けをするためのオブジェクト複製情報（番号）をセットする（ステップＳ６６）。【選択図】図１３
2005262537.tif 000002
【特許請求の範囲】
【請求項１】
外部から画像データを入力する画像データ入力手段と、被記録材への記録を実行する記録実行手段と、該記録実行手段の操作及び設定を入力するための設定入力手段と、該設定入力手段によって入力された操作及び設定に基づいて前記記録実行手段の制御を実行する制御装置とを備えた記録装置であって、
前記制御装置は、前記画像データ入力手段にて入力可能な状態にある複数の画像データの中から前記設定入力手段によって選択された画像データを所定の様式で配置するオブジェクト情報を生成するオブジェクト情報生成手段と、
該オブジェクト情報生成手段に生成されたオブジェクト情報に基づいて、前記画像データ入力手段にて画像データを読み込んで画像展開処理するオブジェクト画像生成手段とを有し、
前記オブジェクト情報生成手段は、複製可能なオブジェクトを検索して複製可能なオブジェクトに複製元となるオブジェクトとの関連付けをするためのオブジェクト複製情報をセットし、
前記オブジェクト画像生成手段は、各オブジェクトのオブジェクト複製情報に基づいて画像展開データを複製する、ことを特徴とした記録装置。
【請求項２】
請求項１において、前記オブジェクト情報生成手段は、複製可能なオブジェクトがある場合には、オブジェクトをオブジェクト発生順に並び替えてから複製可能なオブジェクトに複製元となるオブジェクトとの関連付けをする、ことを特徴とした記録装置。
【請求項３】
請求項１又は２において、前記制御装置は、前記画像データ入力手段にて入力可能な状態にある複数の画像データの中から前記設定入力手段によって選択された１つの画像データの縮小画像を所定の様式で複数並べて配置して被記録材への記録を実行する記録実行モードを有している、ことを特徴とした記録装置。
【請求項４】
請求項１又は２において、前記制御装置は、前記画像データ入力手段にて入力可能な状態にある複数の画像データの中から前記設定入力手段によって選択された１つの画像データの縮小画像を所定の様式で複数並べて配置するとともに、前記画像データの画像全体の一部を切り出し拡大して被記録材へ記録した場合の切り出し範囲を示す切り出し線を前記縮小画像毎に異なる切り出し位置及び拡大率で付加して被記録材への記録を実行して切り出し拡大サンプルシートを作成する記録実行モードを有している、ことを特徴とした記録装置。
【請求項５】
請求項４において、前記切り出し拡大サンプルシートは、前記設定入力手段にて入力可能な識別情報が前記切り出し線毎に付加されており、前記制御装置は、前記切り出し拡大サンプルシートを作成後、前記設定入力手段により入力された識別情報に対応した切り出し位置及び拡大率にて前記画像データの記録を実行する記録実行モードを有している、ことを特徴とした記録装置。
【請求項６】
請求項４又は５において、前記切り出し拡大サンプルシートは、複数の異なる拡大率の前記切り出し線が１つの縮小画像に付加されている、ことを特徴とした記録装置。
【請求項７】
請求項４〜６のいずれか１項において、前記切り出し拡大サンプルシートは、記録実行可能な全ての切り出し位置及び拡大率が記録される、ことを特徴とした記録装置。
【発明の詳細な説明】
【技術分野】
【０００１】
本発明は、外部から画像データを入力する画像データ入力手段と、被記録材への記録を実行する記録実行手段と、記録実行手段の操作及び設定を入力するための設定入力手段と、設定入力手段によって入力された操作及び設定に基づいて記録実行手段の制御を実行する制御装置とを備えた記録装置に関する。
【背景技術】
【０００２】
近年のインクジェットプリンタ等の記録装置は、記録画質の高画質化や記録実行速度の高速化等の記録装置としての本来の性能が飛躍的に向上しつつあると同時に、ユーザにとって魅力的な従来にない新しい機能を付加したものが登場している。その一例としては、いわゆるフォトシールと呼ばれるシール面がマス目状等に分割されたプリンタ用紙（被記録材）に記録を実行する機能を搭載した記録装置が公知である。１つの画像データをマス目の大きさに縮小して分割されたシール面の各分割領域に記録することによって、同じ画像のシールを多数作成することができる（例えば特許文献１を参照）。
【０００３】
【特許文献１】特開２０００−３１３１４３号公報
【発明の開示】
【発明が解決しようとする課題】
【０００４】
このように同じ画像データを複数並べて１枚の被記録材へ記録する際には、１つの画像を１枚の被記録材へ記録する通常の記録実行手順で１枚の被記録材に同じ画像データを繰り返し記録すると、画像データを読み込んで（画像データが圧縮データである場合にはさらにデコードして）画像展開する処理を同じ画像データについて繰り返し実行しながら記録を実行することになる。つまり、１枚の被記録材に多数の異なる画像を１つずつ並べて記録するのと同じ手順で記録を実行することになるので、１枚の被記録材に対する記録実行時間が大幅に長くなってしまうという課題が生じる。
【０００５】
本発明は、このような状況に鑑み成されたものであり、その課題は、記録装置において、１枚の被記録材に同じ画像を複数並べて記録する際の記録実行時間を短縮することにある。
【課題を解決するための手段】
【０００６】
上記課題を達成するため、本発明の第１の態様は、外部から画像データを入力する画像データ入力手段と、被記録材への記録を実行する記録実行手段と、該記録実行手段の操作及び設定を入力するための設定入力手段と、該設定入力手段によって入力された操作及び設定に基づいて前記記録実行手段の制御を実行する制御装置とを備えた記録装置であって、前記制御装置は、前記画像データ入力手段にて入力可能な状態にある複数の画像データの中から前記設定入力手段によって選択された画像データを所定の様式で配置するオブジェクト情報を生成するオブジェクト情報生成手段と、該オブジェクト情報生成手段に生成されたオブジェクト情報に基づいて、前記画像データ入力手段にて画像データを読み込んで画像展開処理するオブジェクト画像生成手段とを有し、前記オブジェクト情報生成手段は、複製可能なオブジェクトを検索して複製可能なオブジェクトに複製元となるオブジェクトとの関連付けをするためのオブジェクト複製情報をセットし、前記オブジェクト画像生成手段は、各オブジェクトのオブジェクト複製情報に基づいて画像展開データを複製する、ことを特徴とした記録装置である。
【０００７】
外部から画像データを入力する画像データ入力手段は、例えば、記録装置に直接接続されたデジタルカメラの内部メモリから画像データを入力する手段、又は記録装置に設けられたメモリカードスロットに挿入されたメモリカードから画像データを入力する手段等であり、情報処理装置を介さないで画像データを直接記録装置へ入力する手段である。設定入力手段は、例えば、一般的なインクジェット式記録装置等の前面に設けられている操作ボタン等である。画像データ入力手段にて入力可能な状態にある複数の画像データの中から所望の画像データを選択して記録実行操作をすることによって、記録装置内部の制御装置は、ユーザに選択された画像データのオブジェクト情報を生成して記録紙への記録を実行する。
【０００８】
まず、画像データを所定の様式で配置するオブジェクト情報を生成する際に、複製可能なオブジェクトの有無を検索する。複製可能なオブジェクトがある場合には、複製可能なオブジェクトに複製元となるオブジェクトとの関連付けをするためのオブジェクト複製情報をセットする。そして、オブジェクト画像生成手段は、処理するオブジェクトにオブジェクト複製情報がセットされている場合には、そのオブジェクト複製情報に基づいて、既に画像展開されている複製元となるオブジェクトの画像展開データを複製して画像展開処理を実行する。このように、複製可能なオブジェクトがある場合には、あらかじめ複製可能なオブジェクトに複製元となるオブジェクトとの関連付けをすることによって、同じサイズの画像生成領域に同じ画像を展開する場合には、その都度、画像データの読み込んで（画像データが圧縮データである場合にはさらにデコードして）画像展開処理することなく、既に展開済みのデータを複製する処理を実行することが可能になる。それによって、オブジェクト画像生成手段におけるオブジェクト画像の生成処理時間を短縮することができる。
【０００９】
これにより、本発明の第１の態様に示した記録装置によれば、画像データの読み込んで画像展開処理する手順を繰り返し実行せずに、既に展開済みのデータを複製する処理を実行することによって、オブジェクト画像生成手段におけるオブジェクト画像の生成処理時間を大幅に短縮することができるので、１枚の被記録材に同じ画像を複数並べて記録する際の記録実行時間を短縮することができるという作用効果が得られる。
【００１０】
本発明の第２の態様は、前述した第１の態様において、前記オブジェクト情報生成手段は、複製可能なオブジェクトがある場合には、オブジェクトをオブジェクト発生順に並び替えてから複製可能なオブジェクトに複製元となるオブジェクトとの関連付けをする、ことを特徴とした記録装置である。
【００１１】
複製元となるオブジェクトを特定するためには、複製可能で関連付けされるオブジェクトのうち最初に発生するオブジェクトを複製元とする必要がある。そこで、複製可能なオブジェクトがある場合には、オブジェクトをオブジェクト発生順に並び替えることによって複製元となるオブジェクトの特定が容易になるという作用効果が得られる。
【００１２】
本発明の第３の態様は、前述した第１の態様又は第２の態様において、前記制御装置は、前記画像データ入力手段にて入力可能な状態にある複数の画像データの中から前記設定入力手段によって選択された１つの画像データの縮小画像を所定の様式で複数並べて配置して被記録材への記録を実行する記録実行モードを有している、ことを特徴とした記録装置である。
【００１３】
このように、前述したフォトシールへ記録を実行する場合等、１つの画像データの縮小画像を所定の様式で複数並べて配置して被記録材への記録を実行する場合には、オブジェクト画像を展開する際、オブジェクト画像生成手段において、その都度、画像データの読み込んで（画像データが圧縮データである場合にはさらにデコードして）画像展開処理することなく、既に展開済みのデータを複製する処理を実行することによって、既に展開済みのデータを繰り返し利用することができるので、オブジェクト画像生成手段におけるオブジェクト画像の生成処理時間を大幅に短縮することができる。
【００１４】
本発明の第４の態様は、前述した第１の態様又は第２の態様において、前記制御装置は、前記画像データ入力手段にて入力可能な状態にある複数の画像データの中から前記設定入力手段によって選択された１つの画像データの縮小画像を所定の様式で複数並べて配置するとともに、前記画像データの画像全体の一部を切り出し拡大して被記録材へ記録した場合の切り出し範囲を示す切り出し線を前記縮小画像毎に異なる切り出し位置及び拡大率で付加して被記録材への記録を実行して切り出し拡大サンプルシートを作成する記録実行モードを有している、ことを特徴とした記録装置である。
【００１５】
ユーザが選択した画像データの縮小画像を所定の様式で複数並べて配置するとともに、画像データの画像全体の一部を切り出し拡大して被記録材へ記録した場合の切り出し範囲を示す切り出し線を縮小画像毎に異なる切り出し位置及び拡大率で付加した切り出し拡大サンプルシートを作成する。ユーザは、縮小画像毎に異なる切り出し位置及び拡大率の切り出し線が付加された複数の縮小画像を同時に見ながら比較検討することができ、その中から所望の切り出し位置及び拡大率のパターンに最も近い切り出し位置及び拡大率のパターンを容易かつ直感的に選択することができる。それによって、液晶表示部等のプレビュー装置を記録装置に設けることなく、容易かつ確実にユーザが所望する切り出し位置及び拡大率で拡大したデジタル画像のダイレクトプリントを実行することが可能になる。
【００１６】
そして、前述したように、１つの画像データの縮小画像を所定の様式で複数並べて配置して被記録材への記録を実行する場合には、オブジェクト画像を展開する際、オブジェクト画像生成手段において、その都度、画像データの読み込んで画像展開処理することなく、既に展開済みのデータを複製する処理を実行することによって、既に展開済みのデータを繰り返し利用することができるので、オブジェクト画像生成手段におけるオブジェクト画像の生成処理時間を大幅に短縮することができる。したがって、切り出し拡大サンプルシートの作成時間を短縮することができるという作用効果が得られる。
【００１７】
本発明の第５の態様は、前述した第４の態様において、前記切り出し拡大サンプルシートは、前記設定入力手段にて入力可能な識別情報が前記切り出し線毎に付加されており、前記制御装置は、前記切り出し拡大サンプルシートを作成後、前記設定入力手段により入力された識別情報に対応した切り出し位置及び拡大率にて前記画像データの記録を実行する記録実行モードを有している、ことを特徴とした記録装置である。ユーザは、切り出し拡大サンプルシートを作成後、切り出し拡大サンプルシートの中から所望の切り出し位置及び拡大率の切り出し線を選択し、選択した切り出し線に対応した識別情報を設定入力手段から入力して記録を実行することによって、所望の切り出し位置及び拡大率にて選択した画像データの記録を実行することができる。
【００１８】
本発明の第６の態様は、前述した第４の態様又は第５の態様において、前記切り出し拡大サンプルシートは、複数の異なる拡大率の前記切り出し線が１つの縮小画像に付加されている、ことを特徴とした記録装置である。このように、複数の異なる拡大率の切り出し線が１つの縮小画像に付加されていることによって、異なる拡大率を同時に見ながら直感的に比較検討することができるので、より的確に所望の拡大率の選択が可能になるという作用効果が得られる。
【００１９】
本発明の第７の態様は、前述した第４の態様〜第６の態様のいずれかにおいて、前記切り出し拡大サンプルシートは、記録実行可能な全ての切り出し位置及び拡大率が記録される、ことを特徴とした記録装置である。このように、切り出し拡大サンプルシートには、記録実行可能な全ての切り出し位置及び拡大率を示す縮小画像が記録されるので、設定可能な全ての切り出し位置及び拡大率を同時に目で確認しながらユーザが所望の切り出し位置及び拡大率を選択することができ、それによって、より的確に所望の切り出し位置及び拡大率で選択した画像データの記録を実行することが可能になる。
【発明を実施するための最良の形態】
【００２０】
以下、本発明の実施の形態を図面に基づいて説明する。まず、本発明に係るインクジェット式記録装置について説明する。  
図１は、本発明に係るインクジェット式記録装置の外観斜視図である。
【００２１】
本発明に係る「記録装置」としてのインクジェット式記録装置５０は、後部に配置された給紙トレイ５７に積重された「被記録材」としての記録紙Ｐに記録が実行されて、前面に配置された排紙トレイ５８へ記録実行済みの記録紙Ｐが排出される構成を有している。また、インクジェット式記録装置５０の上面には、画像が記録されている被記録材の画像記録面を走査して画像を入力する「画像入力装置」としてのスキャナ５０２と、スキャナ５０２のカバー５９が配設されている。さらに、インクジェット式記録装置５０は、前面に「設定入力手段」としての操作パネル１０２、操作パネル１０２の操作をユーザに表示するために操作パネル１０２に配設された液晶ディスプレイ等による操作表示部１０９、及び「画像データ入力手段」としてのメモリカードスロット２２を備えている。
【００２２】
図２は、インクジェット式記録装置５０の概略平面図であり、図３は、インクジェット式記録装置５０の概略側面図である。  
インクジェット式記録装置５０には、記録紙Ｐに対して主走査動作を行う「主走査駆動手段」として、キャリッジガイド軸５１に軸支され、主走査方向Ｘに移動するキャリッジ６１が設けられている。キャリッジ６１には、記録紙Ｐにインクを噴射して記録を行う記録ヘッド６２が搭載されている。記録ヘッド６２と対向して、記録ヘッド６２のヘッド面と記録紙Ｐとのギャップを規定するプラテン５２が設けられている。また、キャリッジ６１とプラテン５２の間に記録紙Ｐを所定の搬送量で副走査方向Ｙへ搬送する「副走査駆動手段」として、搬送駆動ローラ５３と搬送従動ローラ５４が設けられている。搬送駆動ローラ５３は、ステッピング・モータ等の図示していない搬送駆動用モータの回転駆動力が伝達されて回転し、搬送駆動ローラ５３の回転により、記録紙Ｐは副走査方向Ｙに搬送される。搬送従動ローラ５４は、複数設けられており、それぞれ個々に搬送駆動ローラ５３に付勢され、記録紙Ｐが搬送駆動ローラ５３の回転により搬送される際に、記録紙Ｐに接しながら記録紙Ｐの搬送に従動して回転する。搬送駆動ローラ５３の表面には、高摩擦抵抗を有する皮膜が施されている。搬送従動ローラ５４によって、搬送駆動ローラ５３の表面に押しつけられた記録紙Ｐは、その表面の摩擦抵抗によって搬送駆動ローラ５３の表面に密着し、搬送駆動ローラ５３の回転によって副走査方向Ｙに搬送される。
【００２３】
給紙トレイ５７には、例えば、普通紙やフォト紙等の記録紙Ｐを給紙可能な構成となっており、搬送駆動ローラ５３及び搬送従動ローラ５４へ向けて記録紙Ｐを自動給紙する給紙手段としてのＡＳＦ（オート・シート・フィーダー）が設けられている。ＡＳＦは、給紙トレイ５７に設けられた２つの給紙ローラ５７ｂ及び図示してない分離パッドを有する自動給紙機構である。この２つの給紙ローラ５７ｂの１つは、給紙トレイ５７の一方側に配置され、もう１つの給紙ローラ５７ｂは、記録紙ガイド５７ａに取り付けられており、図示していない搬送駆動用モータの回転駆動力が伝達されて回転する。記録紙ガイド５７ａは、記録紙Ｐの幅に合わせて幅方向に摺動可能に給紙トレイ５７に設けられている。そして、給紙ローラ５７ｂの回転駆動力と、分離パッドの摩擦抵抗とにより、給紙トレイ５７に置かれた複数の記録紙Ｐを給紙する際に、複数の記録紙Ｐが一度に給紙されることなく１枚ずつ正確に搬送駆動ローラ５３及び搬送従動ローラ５４へ向けて自動給紙される。記録された記録紙Ｐを排紙する手段としては、排紙駆動ローラ５５と排紙従動ローラ５６が設けられている。排紙駆動ローラ５５は、ステッピング・モータ等の回転駆動力により回転制御され、排紙駆動ローラ５５の回転により、記録紙Ｐは副走査方向Ｙに排紙される。排紙従動ローラ５６は、周囲に複数の歯を有し、各歯の先端が記録紙Ｐの記録面に点接触するように鋭角的に尖っている歯付きローラになっている。複数の排紙従動ローラ５６は、それぞれ個々に排紙駆動ローラ５５に付勢され、記録紙Ｐが排紙駆動ローラ５５の回転により排紙される際に記録紙Ｐに接して記録紙Ｐの排紙に従動して回転する。
【００２４】
給紙ローラ５７ｂと搬送駆動ローラ５３との間には、記録紙Ｐの副走査方向Ｙの端部を検出する紙検出器６３が配設されている。紙検出器６３は、立位姿勢への自己復帰習性が付与され、かつ記録紙Ｐの搬送方向である副走査方向Ｙへのみ回動し得るよう記録紙Ｐの搬送経路内に突出する状態で枢支されたレバーを有し、このレバーの先端が記録紙Ｐに押されることでレバーが回動し、それによって記録紙Ｐが検出される構成を成す検出器である。このような構成を成す紙検出器６３は、記録紙Ｐの始端位置及び終端位置（副走査方向Ｙの両端部）を検出する。
【００２５】
「制御装置」としての制御部１００は、紙検出器６３にて検出した記録紙Ｐの副走査方向Ｙの両端部位置に基づいて記録紙Ｐに対する記録実行領域を決定し、記録ヘッド６２を駆動するヘッド駆動手段（図示せず）、図示していないキャリッジ駆動用モータによるキャリッジ６１の主走査方向Ｘへの往復動作、及び図示していない搬送駆動用モータによる搬送駆動ローラ５３の回転量を制御して、キャリッジ６１を主走査方向Ｘへ往復動させながら記録データに基づいて、記録実行領域に記録ヘッド６２からインクを噴射してドットを形成する動作と、搬送駆動ローラ５３の駆動回転によって所定の搬送量にて記録紙Ｐを副走査方向Ｙへ搬送する動作とを交互に繰り返して記録紙Ｐへの記録を実行する。
【００２６】
図４は、インクジェット式記録装置５０の機能ブロック図である。  
画像データを外部から入力する「画像データ入力手段」としてのメモリカードスロット２２にメモリカード２１が装着され、メモリカード２１から読み出された画像データは、記録データ格納手段１０１によってＲＡＭ２３へ格納される。或いは、ＵＳＢコネクタ１０６を介してＵＳＢホストインタフェース１０７に接続されるデジタルカメラ等のＵＳＢデバイスから入力した画像データは、記録データ格納手段１０１によってＲＡＭ２３へ格納される。メモリカード２１又はＵＳＢコネクタ１０６を介して入力可能な状態にある複数の画像データの中から操作パネル１０２の操作によって選択された画像データの「切り出し拡大サンプルシート」としてのサンプル画像シートＰＳを作成するためのサンプル画像シート記録データがサンプル画像シート記録データ生成手段１０３にて生成される。
【００２７】
生成されたサンプル画像シート記録データに基づいて、前述した「主走査駆動手段」及び「副走査駆動手段」により構成される記録実行手段５０１によって記録紙Ｐへの記録が実行され、サンプル画像シートＰＳが作成される。サンプル画像シートＰＳは、メモリカード２１又はＵＳＢコネクタ１０６を介して入力可能な状態にある複数の画像データの中から操作パネル１０２の操作によって選択された画像データの縮小画像が所定の様式で複数配置されて記録されている。各縮小画像には、画像全体の一部を切り出し拡大して記録紙Ｐへ記録した場合の切り出し線が縮小画像毎に異なる切り出し位置及び拡大率で付加されている。各切り出し線には、操作パネル１０２から入力可能な識別情報として識別番号が付されて記録されている。サンプル画像シートＰＳの様式については後述する。ユーザは、サンプル画像シートＰＳ中から所望の切り出し位置及び拡大率の切り出し線を選択し、その切り出し線に付されている識別番号を設定入力パネル１０２から入力して記録を実行する。切り出し拡大処理手段１０５は、設定入力パネル１０２から入力された識別番号から画像データの切り出し位置及び拡大率を設定して画像処理手段１０４へ転送する。画像処理手段１０４は、その切り出し位置及び拡大率にてメモリカード２１又はＵＳＢコネクタ１０６を介して入力可能な状態にある複数の画像データの中から操作パネル１０２の操作によって選択された画像データの切り出し拡大処理を実行して記録データを生成する。生成された記録データに基づいて、前述した「主走査駆動手段」及び「副走査駆動手段」により構成される記録実行手段５０１によって記録紙Ｐへの記録が実行される。
【００２８】
つづいて、制御部１００による記録制御手順について説明する。  
当該実施例においては、制御部１００は、マイクロコンピュータを有するマイコン制御装置として構成され、マイクロコンピュータにて本発明に係る「記録制御プログラム」を実行することで制御部１００の制御機能が実現される。以下、本発明に係る「記録制御プログラム」による記録制御手順について説明する。
【００２９】
図５は、操作パネル１０２からの操作によって記録を実行する手順を示したフローチャートである。  
まず、操作パネル１０２からの設定入力を受け付ける（ステップＳ１）。具体的には、記録モードを選択する操作と、メモリカード２１又はＵＳＢコネクタ１０６を介して入力可能な状態にある複数の画像データの中から記録を実行する画像データを選択する操作とを操作表示部１０９（図１を参照）の表示でユーザに対して要求する。つづいて、操作パネル１０２の操作による記録実行要求があるか否かを判定し（ステップＳ２）、記録実行要求が無ければ（ステップＳ２でＮｏ）、ステップＳ１へ戻る。操作パネル１０２の操作による記録実行要求があった場合には（ステップＳ２でＹｅｓ）、設定されている記録モードがサンプル画像シートＰＳを作成するモードか否かを判定する（ステップＳ３）。記録モードがサンプル画像シートＰＳを作成する記録モードでない場合には（ステップＳ３でＮｏ）、その設定された記録モードによる記録実行シーケンスへ移行し、記録モードがサンプル画像シートＰＳを作成する記録モードである場合には（ステップＳ３でＹｅｓ）、サンプル画像シートＰＳを作成して記録を実行するサンプル画像シート記録手順を実行する。
【００３０】
図６は、サンプル画像シート記録手順を示したフローチャートである。  
操作パネル１０２にて選択された画像データのサンプル画像シートＰＳを作成した後（ステップＳ１１）、操作パネル１０２からの設定入力を受け付ける（ステップＳ１２）。具体的には、サンプル画像シートＰＳに記録された複数の縮小画像に付された切り出し線の中から所望の切り出し位置及び拡大率の切り出し線を選択して、その選択した切り出し位置及び拡大率の切り出し線の指定番号（識別番号）を操作パネル１０２から入力する操作と、記録を実行する枚数の設定入力操作とを操作パネル１０２に配設された操作表示部１０９の表示でユーザに対して要求する。つづいて、操作パネル１０２の操作による記録実行要求があるか否かを判定し（ステップＳ１３）、記録実行要求が無ければ（ステップＳ１３でＮｏ）、ステップＳ１２へ戻る。操作パネル１０２の操作による記録実行要求があった場合には（ステップＳ１３でＹｅｓ）、選択された切り出し線の指定番号（識別番号）及び指定された枚数で画像データの記録を実行する（ステップＳ１４）。
【００３１】
図７は、切り出し拡大処理手段１０５における切り出し拡大処理手順を示したフローチャートであり、図８は、画像処理手段１０４における画像処理手順を示したフローチャートである。  
切り出し拡大処理手段１０５は、操作パネル１０２から入力された画像データ番号と、切り出し位置及び拡大率の指定番号（識別番号）とを取得し（ステップＳ２１）、取得した画像データの番号と、切り出し位置及び拡大率の指定番号（識別番号）に基づく切り出し範囲の設定を画像処理手段１０４に対して指定する（ステップＳ２２）。画像処理手段１０４は、切り出し拡大処理手段１０５から指定された画像データ番号と、その画像データの切り出し範囲の設定を取得し（ステップＳ３１）、画像データ及び切り出し範囲設定からオブジェクトを生成する（ステップＳ３２）。展開ドットデータ毎に関連するオブジェクトを検索し、データを展開合成して（ステップＳ３３）、記録データを記録ヘッド６２へ送信する（ステップＳ３４）。そして、全オブジェクトの処理が終了したか否かを判定し（ステップＳ３５）、全オブジェクトの処理が終了していなければ（ステップＳ３５でＮｏ）、ステップＳ３３へ戻り、全オブジェクトの処理が終了した時点で（ステップＳ３５でＹｅｓ）、当該手順を終了する。
【００３２】
つづいて、サンプル画像シートＰＳについて説明する。  
図９は、サンプル画像シートＰＳを模式的に示した平面図である。図１０は、選択した切り出し線の切り出し位置及び拡大率で記録を実行した結果を模式的に示したものである。  
当該実施例においては、サンプル画像シートＰＳには、選択された画像データの縮小画像ＳＭが等間隔に９つ配置されて記録されている。各縮小画像ＳＭは、切り出し範囲を示す切り出し線ＣＡが縮小画像ＳＭ毎に異なる切り出し位置及び拡大率で付加されており、切り出し線ＣＡ毎に識別番号Ａ１〜Ａ１８が付されている。当該実施例においては、インクジェット式記録装置５０にて実行可能な画像の拡大記録は、１．２倍、又は１．５倍となっている。サンプル画像シートＰＳは、拡大率を１．２倍とした場合と１．５倍とした場合との切り出し線ＣＡが１つの縮小画像ＳＭに付加されており、インクジェット式記録装置５０にて記録実行可能な全ての切り出し位置及び拡大率が記録されている。奇数の識別番号が付されている切り出し線ＣＡは、拡大率が１．５倍とした場合の切り出し範囲、偶数の識別番号が付されている切り出し線ＣＡは、拡大率が１．２倍の切り出し範囲となっている。それによって、異なる切り出し位置及び拡大率を同時に見ながら比較検討することができるので、より的確に所望の切り出し位置及び拡大率の選択が可能になる。
【００３３】
識別番号Ａ１とＡ２の切り出し線ＣＡは、画像の向かって左上から切り出し範囲が設定されている。識別番号Ａ３とＡ４の切り出し線ＣＡは、画像の向かって左中から切り出し範囲が設定されている。識別番号Ａ５とＡ６の切り出し線ＣＡは、画像の向かって左下から切り出し範囲が設定されている。識別番号Ａ７とＡ８の切り出し線ＣＡは、画像の向かって中上から切り出し範囲が設定されている。識別番号Ａ９とＡ１０の切り出し線ＣＡは、画像の中心から切り出し範囲が設定されている。識別番号Ａ１１とＡ１２の切り出し線ＣＡは、画像の向かって中下から切り出し範囲が設定されている。識別番号Ａ１３とＡ１４の切り出し線ＣＡは、画像の向かって右上から切り出し範囲が設定されている。識別番号Ａ１５とＡ１６の切り出し線ＣＡは、画像の向かって右中から切り出し範囲が設定されている。識別番号Ａ１７とＡ１８の切り出し線ＣＡは、画像の向かって右下から切り出し範囲が設定されている。ユーザは、識別番号Ａ１〜Ａ１８で示された１８通りの切り出し位置及び拡大率の中からの所望の切り出し位置及び拡大率を選択し、その切り出し位置及び拡大率の切り出し線ＣＡの識別番号を操作パネル１０２から入力して記録を実行する。例えば、識別番号Ａ１の切り出し線ＣＡによる切り出し拡大パターン（拡大率１．５倍、切り出し範囲が左上から）を選択して記録紙Ｐへ記録を実行した場合の記録実行結果は、図１０に示した通りとなる。
【００３４】
つづいて、サンプル画像シート記録データ生成手段１０３について図１１〜図１３を参照しながら説明する。  
図１１は、サンプル画像シート記録データ生成手段１０３の機能ブロック図である。  
オブジェクト情報生成手段１３１は、サンプル画像シートＰＳのレイアウトを指定するＰＩＦデータと、レイアウト内に配置する縮小画像ＳＭを指定した画像リストを入力してオブジェクト情報を生成する。オブジェクト情報生成手段１３１にて生成されたオブジェクト情報は、オブジェクト管理手段１３２へ登録される。オブジェクト管理手段１３２に登録されたオブジェクト情報に基づいて、オブジェクト画像生成手段１３３にて選択された画像データの縮小画像データ、及びフレームデータが画像生成され、画像合成手段１３４にて縮小画像データとフレームデータとが合成される。
【００３５】
図１２は、オブジェクト生成手段１３１におけるオブジェクト生成手順を示したフローチャートである。  
まず、ＰＩＦデータと画像データとを読み込み（ステップＳ４１）、ＰＩＦコマンドを解析して（ステップＳ４２）、オブジェクトを生成する（ステップＳ４３）。つづいて、生成したオブジェクトがフレームオブジェクトか否かを判定する（ステップＳ４４）。フレームオブジェクトである場合には（ステップＳ４４でＹｅｓ）、フレームパラメータを解析し（ステップＳ４５）、解析したフレームパラメータに基づいてフレームの回転角度情報をセットし（ステップＳ４６）、その他セットすべき情報があればセットして（ステップＳ４７）、オブジェクト管理手段へ登録する（ステップＳ４８）。
【００３６】
生成したオブジェクトがフレームオブジェクトでない場合には（ステップＳ４４でＮｏ）、つづいて、画像オブジェクトか否かを判定する（ステップＳ５０）。画像オブジェクトである場合には（ステップＳ５０でＹｅｓ）、画像パラメータを解析し（ステップＳ５１）、画像リストを読み込んで（ステップＳ５２）、画像情報をセットし（ステップＳ５３）、オブジェクト管理手段へ登録する（ステップＳ４８）。生成したオブジェクトが画像オブジェクトでない場合には（ステップＳ５０でＮｏ）、つづいて、線オブジェクトか否かを判定する（ステップＳ５４）。線オブジェクトである場合には（ステップＳ５４でＹｅｓ）、線パラメータを解析し（ステップＳ５５）、解析した線パラメータに基づいて線情報をセットし（ステップＳ５６）、オブジェクト管理手段へ登録する（ステップＳ４８）。
【００３７】
生成したオブジェクトが線オブジェクトでない場合には（ステップＳ５４でＮｏ）、つづいて、文字オブジェクトか否かを判定する（ステップＳ５７）。文字オブジェクトである場合には（ステップＳ５７でＹｅｓ）、文字パラメータを解析し（ステップＳ５８）、解析した文字パラメータに基づいて文字情報をセットし（ステップＳ５９）、オブジェクト管理手段へ登録する（ステップＳ４８）。生成したオブジェクトが線オブジェクトでない場合（ステップＳ５７でＮｏ）、及び各オブジェクトをオブジェクト管理へ登録した後は、ＰＩＦデータが終了したか否かを判定する（ステップＳ４９）。ＰＩＦデータが終了していなければ（ステップＳ４９でＮｏ）、ステップＳ４１に戻って残りのＰＩＦデータを読み込み、ＰＩＦデータが終了していれば（ステップＳ４９でＹｅｓ）、そのまま当該手順を終了する。
【００３８】
図１３は、オブジェクト生成手段１３１におけるオブジェクト検索手順を示したフローチャートである。  
まず、図１２に示したオブジェクト情報生成手順でオブジェクト情報を生成する（ステップＳ６１）。つづいて、オブジェクト複製情報を初期化した後（ステップＳ６２）、生成したオブジェクトを検索し（ステップＳ６３）、複製可能なオブジェクト、つまり、同じ画像データの指定で同じサイズの画像展開領域を指定したオブジェクトがあるか否かを判定する（ステップＳ６４）。複製可能なオブジェクトがない場合には（ステップＳ６４でＮｏ）、そのまま当該手順を終了する。一方、複製可能なオブジェクトがある場合には（ステップＳ６４でＹｅｓ）、オブジェクトをオブジェクト発生順に並び替える（ステップＳ６５）。複製元となるオブジェクトを特定するためには、複製可能で関連付けされるオブジェクトのうち最初に発生するオブジェクトを複製元とする必要があるので、複製可能なオブジェクトがある場合には、オブジェクトをオブジェクト発生順に並び替えることによって複製元となるオブジェクトの特定が容易になる。そして、複製可能なオブジェクトのオブジェクト複製情報に複製元となるオブジェクトとの関連付けをするためのオブジェクト複製情報（番号）をセットする（ステップＳ６６）。
【００３９】
図１４は、オブジェクト画像生成手段１３３におけるオブジェクト画像生成手順を示したフローチャートである。  
オブジェクトにオブジェクト複製情報があるか否かを判定し（ステップＳ７１）、オブジェクト複製情報がセットされていない場合には（ステップＳ７１でＮｏ）、指定された画像データを読み込んで（画像データが圧縮データである場合にはさらにデコードして）画像展開する（ステップＳ７２）。一方、オブジェクトにオブジェクト複製情報がある場合には、オブジェクト複製情報に基づいてオブジェクト複製番号の画像データ（複製元となる画像データ）をコピーして画像展開する（ステップＳ７３）。このように、複製可能なオブジェクトがある場合には、あらかじめ複製可能なオブジェクトに複製元となるオブジェクトとの関連付けをすることによって、同じサイズの画像生成領域に同じ画像を展開する場合には、その都度、画像データの読み込んで画像展開処理することなく、既に展開済みのデータを複製する処理を実行することが可能になる。それによって、オブジェクト画像生成手段１３３におけるオブジェクト画像の生成処理時間を短縮することができる。
【００４０】
このようにして、インクジェット式記録装置５０において、１枚の記録紙Ｐに同じ画像を複数並べて記録（サンプル画像シートＰＳを作成）する際の記録実行時間を短縮することができる。
【００４１】
また、他の実施例としては、フォトシールへ同じ画像の縮小画像を複数並べて記録を実行する場合等が挙げられる。上述したサンプル画像シートＰＳを作成する場合と同様に１つの画像データの縮小画像を所定の様式で複数並べて配置して被記録材への記録を実行する場合には、記録紙Ｐの種類や画像配置の様式等に関わらず、オブジェクト画像生成手段におけるオブジェクト画像の生成処理時間を大幅に短縮して記録実行時間を短縮することができ、本発明による作用効果を得ることができる。  
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００４２】
【図１】本発明に係るインクジェット式記録装置の外観斜視図である。
【図２】本発明に係るインクジェット式記録装置の概略の平面図である。
【図３】本発明に係るインクジェット式記録装置の概略の側面図である。
【図４】本発明に係るインクジェット式記録装置の機能ブロック図である。
【図５】操作パネルの操作による記録実行手順を示したフローチャートである。
【図６】サンプル画像シート記録手順を示したフローチャートである。
【図７】切り出し拡大処理手順を示したフローチャートである。
【図８】画像処理手段における画像処理手順を示したフローチャートである。
【図９】サンプル画像シートを模式的に示した平面図である。
【図１０】選択した切り出し位置及び拡大率での記録結果を示したものである。
【図１１】サンプル画像シート記録データ生成手段の機能ブロック図である。
【図１２】オブジェクト生成手順を示したフローチャートである。
【図１３】オブジェクト検索手順を示したフローチャートである。
【図１４】オブジェクト画像生成手順を示したフローチャートである。
【符号の説明】
【００４３】
２２  メモリカードスロット、５０  インクジェット式記録装置、５１  キャリッジガイド軸、５２  プラテン、５３  搬送駆動ローラ、５４  搬送従動ローラ、５５  排紙駆動ローラ、５６  排紙従動ローラ、５７  給紙トレイ、５７ｂ  給紙ローラ、６１  キャリッジ、６２  記録ヘッド、６３  紙検出器、１００  制御部、１０２  操作パネル、ＣＡ  切り出し線、Ｐ  記録紙、ＰＳ  サンプル画像シート、ＳＭ  縮小画像、Ｘ  主走査方向、Ｙ  副走査方向
【図１】
2005262537.tif 000003
【図２】
2005262537.tif 000004
【図３】
2005262537.tif 000005
【図４】
2005262537.tif 000006
【図５】
2005262537.tif 000007
【図６】
2005262537.tif 000008
【図７】
2005262537.tif 000009
【図８】
2005262537.tif 000010
【図９】
2005262537.tif 000011
【図１０】
2005262537.tif 000012
【図１１】
2005262537.tif 000013
【図１２】
2005262537.tif 000014
【図１３】
2005262537.tif 000015
【図１４】
2005262537.tif 000016